(57)【特許請求の範囲】
【請求項１】
建設機械の本体旋回装置の固定輪の外周溝に嵌め込まれるシール材を交換する治具において、
治具フレームと、該治具フレームを旋回輪に固定する固定装置とを有し、
前記治具フレームは、シール材をガイドするガイド部と、該ガイド部の先端のシール材繰り出し部とを有し、
シール材を前記ガイド部を介して前記シール材繰り出し部より繰り出して前記溝に嵌め、前記固定装置により前記治具フレームを前記旋回輪に固定し、旋回輪を旋回しながら前記シール材を前記溝に嵌め込む
ことを特徴とする旋回輪シール材交換用治具。
【請求項２】
請求項１の旋回輪シール材交換用治具において、
前記治具フレームは、シール材の繰り出しに先行して溝内残留物の除去を行う爪を有する
ことを特徴とする旋回輪シール材交換用治具。
【請求項３】
請求項１または２の旋回輪シール材交換用治具において、
前記治具フレームは、渦巻き状に巻いたシール材の収容部を有する
ことを特徴とする旋回輪シール材交換用治具。
【発明の詳細な説明】
【０００１】
【発明の属する技術分野】
本発明は、油圧ショベルやクレーン等の建設機械における本体の旋回輪シール材交換用治具に関する。
【０００２】
【従来の技術】
油圧ショベル等の建設機械においては、走行体上に旋回装置を介して旋回体を設置し、旋回体に作業用フロントを取付けて構成される。この本体の旋回装置は、走行体フレーム上に固定される内輪である固定輪の外側に軸受を介して旋回輪を嵌合し、前記固定輪の外周に溝を設け、該溝に、軸受への塵埃の侵入を防止するため、固定輪と旋回輪との間を塞ぐシール材を嵌めて取付けている。
【０００３】
該シール材は、稼動期間の経過によって劣化するため、所定期間の経過毎に交換する必要がある。従来は新しいシール材を取付けるため、マイナスドライバにより溝の掃除を行った後、ドライバ等によりをシール材を溝に押し込みながら取付けている。
【０００４】
【発明が解決しようとする課題】
上述のように、従来は新しいシール材を取付けるための固定輪外周の溝は、旋回輪の下面より奥部の作業しにくい場所にあり、しかも旋回輪を旋回体に固定するボルトまたはナットが旋回輪の下面に突出しているので、ドライバによる溝の掃除やシール材の取付けは労力を必要とする困難な作業であった。
【０００５】
本発明は、上記問題点に鑑み、旋回体シール材の交換が容易となる治具を提供することを目的とする。
【０００６】
【課題を解決するための手段】
請求項1の旋回輪シール材交換用治具は、建設機械の本体旋回装置の固定輪の外周溝に嵌め込まれるシール材を交換する治具において、
治具フレームと、該治具フレームを旋回輪に固定する固定装置とを有し、
前記治具フレームは、シール材をガイドするガイド部と、該ガイド部の先端のシール材繰り出し部とを有し、
シール材を前記ガイド部を介して前記シール材繰り出し部より繰り出して前記溝に嵌め、前記固定装置により前記治具フレームを前記旋回輪に固定し、旋回輪を旋回しながら前記シール材を前記溝に嵌め込む
ことを特徴とする。
【０００７】
このように、旋回装置の旋回モータの力を利用して旋回輪と共に治具を回転させて治具フレームよりシール材を繰り出しつつシール材を溝に押し込むことにより、労力を要することなく、シール材の取付けが容易に行える。
【０００８】
請求項２の旋回輪シール材交換用治具は、請求項１において、
前記治具フレームは、シール材の繰り出しに先行して溝内残留物の除去を行う爪を有する
ことを特徴とする。
【０００９】
このように、治具フレームに溝の掃除を行う爪を設けることにより、旋回輪の旋回により溝の掃除を自動的に行うことができ、シール材の交換作業がさらに容易となる。
【００１０】
請求項３の旋回輪シール材交換用治具は、請求項１または２において、
前記治具フレームは、渦巻き状に巻いたシール材の収容部を有する
ことを特徴とする。
【００１１】
このように、シール材を収容しておく収容部を設けておくことにより、旋回体の旋回に伴ってシール材を手で持っておく必要なく、さらに容易にシール材の交換作業が行える。
【００１２】
【発明の実施の形態】
図１は本発明による旋回輪シール材交換用治具を用いてシール材の交換作業を行う建設機械（油圧ショベル）のトラックフレームおよび旋回装置の一例を示す斜視図である。図１において、１は走行体のトラックフレームであり、その中央部には、内輪である固定輪２が設置され、該固定輪２に対し、図２に示すように軸受３を介して外輪である旋回輪４が旋回自在に取付けられる。図２に示すように、旋回輪４にはボルト孔５が設けられ、該ボルト孔５に通すボルトとナット（いずれも図示せず）によって旋回体６が固定される。旋回体６には、旋回モータ（図示せず）が搭載され、該旋回モータにより回転されるピニオン（図示せず）が固定輪２の内歯歯車７に噛み合い、旋回モータの作動により旋回輪４が正逆方向に旋回する。
【００１３】
固定輪２の外周面におけるほぼ旋回輪４の下面に相当する高さの部分には溝２aが形成され、該溝２aに、旋回輪４と固定輪２との間、すなわち軸受３への塵埃の侵入を防ぐシール材８が嵌め込んで取付けられる。旋回輪４の内周面の上部にも溝４aが設けられ、該溝４aにも軸受３への塵埃の侵入を防止するシール材９が嵌め込まれて取付けられる。
【００１４】
図３は前記シール材８の交換を行う治具を示す斜視図である。該治具１０は、治具フレーム１１と固定装置１２とからなる。固定装置１２は、治具フレーム１１に設けた旋回輪下面受部１３と、該治具フレーム１１から立ち上げた縦枠１４と、該縦枠１４に沿って上下位置調整自在に取付けられたアーム１５と、該アーム１５の先端に取付けられた雌ねじ部１６と、該雌ねじ部１６にねじ込まれたねじロッド１７と、その上端に取付けられたつまみ１８と、ねじロッド１７の下端に取付けられた当接体１９とからなる。
【００１５】
治具フレーム１１は、水平面２０aと立ち上げ部２０ｂとからなるシール材のガイド部２０が設けられ、その先端が繰り出し部２１となる。繰り出し部２１の反対側には、前記溝２aに嵌まる形状の溝掃除用の爪２２が突出して設けられている。また、治具フレーム１１には、巻いたシール材８Ａを収容しておくボックス状の収容部２３が設けられている。
【００１６】
該治具１０は、図３に示すように、渦巻き状に巻いたシール材８Ａを収容部２３に収容しておき、その先端部をガイド部２０に沿い、繰り出し部２１から所定の長さ引き出しておく。そして、図４の縦断面図および図５の横断面図に示すように、シール材８の先端を固定輪２の溝２aに押し嵌め、かつガイド部２０を固定輪２の外周に対面させるかまたは押し当てると共に、爪２２を溝２aに嵌め込む。また、治具フレーム１１の受部１３を旋回輪４の下面に当て、アーム１５の高さを調整し、ねじロッドをつまみ１８により回して当接体１９を旋回体６の上面に圧接して治具フレーム１１を旋回輪４に固定する。油圧ショベルの場合、該治具１０の取付けは、旋回輪４の外周より突出する部材が少ない作業リンクの取付け基部近傍である旋回体６の前部が好ましい。
【００１７】
この状態で旋回装置の旋回輪４を不図示の旋回モータによって爪２２側が溝２a内を先行して移動する方向に緩やかな速度で図５の矢印Ｒ方向に旋回させる。すると、図５に示すように、爪２２により溝２a内の塵埃やシール材の残留くず等の残留物２４が外部に排出される。同時に、シール材８の先端は溝２aに固定されているので、シール材８は収容部２３から繰り出されながら、ガイド部２０によりガイドされ、立ち上げ部２０ｂにより固定輪２の溝２a側に押されて自動的に嵌め込まれる。
【００１８】
このように、旋回装置の旋回モータの力を利用して旋回輪４と共に治具１０を回転させて治具フレーム１１よりシール材８を繰り出しつつシール材８を溝２aに押し込むことにより、シール材８の嵌め込みに労力が不要となり、しかも旋回装置の周囲を回りながらシール材８を押し込む必要がないので、シール材の取付けが容易に行える。
【００１９】
溝２aの掃除をドライバによって行う場合においても、前記シール材の自動嵌め込みが可能であるが、本実施の形態のように、治具フレーム１１に溝２aの掃除を行う爪２２を設けることにより、旋回輪の旋回により溝の掃除を自動的に行うことができ、シール材８の交換作業がさらに容易となる。
【００２０】
また、シール材８は渦巻き状に巻かず、長いままで作業者が手にもって旋回体６の旋回と共に移動してもよいが、治具フレーム１１に渦巻き状のシール材８Ａを収容しておく収容部２３を設けておくことにより、旋回体の旋回に伴ってシール材を手で持っておく必要なく、さらに容易にシール材の交換作業が行える。
【００２１】
このように、本実施の形態の治具１０を用いれば、シール材８の交換が能率よく行える。本実施の形態の治具を用いる場合、従来の交換作業に比べて半分以下の時間で交換作業を終了させることが可能となり、大幅な時間短縮が可能となった。
【００２２】
【発明の効果】
請求項１によれば、旋回装置の旋回モータの力を利用して旋回輪と共に治具を回転させて治具フレームよりシール材を繰り出しつつシール材を溝に押し込むことによりが可能となるので、労力を要することなく、シール材の取付けを容易に行うことができる。
【００２３】
請求項２によれば、治具フレームに溝の掃除を行う爪を設けたので、旋回輪の旋回により溝の掃除を自動的に行うことができ、シール材の交換作業がさらに容易となる。
【００２４】
請求項３によれば、シール材を収容しておく収容部を設けたので、旋回体の旋回に伴ってシール材を手で持っておく必要なく、さらに容易にシール材の交換作業が行える。
【図面の簡単な説明】
【図１】本発明による旋回輪シール材交換用治具を用いてシール材の交換作業を行う建設機械（油圧ショベル）のトラックフレームおよび旋回装置の一例を示す斜視図である。
【図２】図１の旋回装置の縦断面図である。
【図３】本発明の治具の一実施の形態を示す斜視図である。
【図４】図３の治具によるシール材の取付け状態を示す旋回装置の縦断面図である。
【図５】図３の治具によるシール材の取付け状態を示す旋回装置の横断面図である。
【符号の説明】
１：トラックフレーム、２：固定輪、２a：溝、３：軸受、４：旋回輪、４ａ：溝、５：孔、６：旋回体、７：内歯歯車、８、８Ａ：シール材、９：シール材、１０：治具、１１：治具フレーム、１２：固定装置、１３：旋回輪下面受部、１４：縦枠、１５：アーム、１６；雌ねじ部、１７：ねじロッド、１８：つまみ、１９：当接体、２０：ガイド部、２０ａ：水平面、２０ｂ：立ち上げ部、２１：繰り出し部、２２：爪、２３：収容部、２４：残留物
【図１】
0003738970.tif 000002
【図２】
0003738970.tif 000003
【図３】
0003738970.tif 000004
【図４】
0003738970.tif 000005
【図５】
0003738970.tif 000006